【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
メイン流路及び該メイン流路の流出口に導入したサブ流路を有するマイクロ流体デバイスにおいて、メイン流路の流出口周辺の液体試料送液圧力を、以下の式（３）又は式（４）に従って制御することを特徴とするマイクロ流体デバイスの液体試料送液方法。
【数１】
2007085998.tif 000001
【数２】
2007085998.tif 000002
（ここで、ΔP prevent：気泡発生を抑えるのに必要な圧力、L：流路長、μ：溶液粘度、dは流路内の直径、dh：hydraulic diameter、λ：管摩擦係数、ρ：液体試料の密度、u：液体試料の平均流速を意味する。）
【請求項２】
請求項１に記載のマイクロ流体デバイスの液体試料送液方法において、メイン流路の流出口周辺の液体試料送液圧力を50.00−65.00kPaの値の範囲に保つことを特徴とするマイクロ流体デバイスの液体試料送液方法。
【請求項３】
前記液体試料の送液において、溶液Ａを、該液体試料より先にメイン流路内に送液することを特徴とする請求項１又は２のいずれか１に記載のマイクロ流体デバイスの液体試料送液方法。
【請求項４】
前記溶液Ａの送液量を、以下の式（７）又は式（８）によって決定することを特徴とする請求項１−３のいずれか１に記載のマイクロ流体デバイスの液体試料送液方法。
【数３】
2007085998.tif 000003
【数４】
2007085998.tif 000004
（ここで、Voil：気抱発生抑制に必要最低量、S：流路の断面積、Loil：流路を流れる溶液Aの長さ、ΔP prevent：気泡発生を抑えるのに必要な圧力、μ：溶液Aの粘度、dは流路内の直径、dh：hydraulic diameter、λ：管摩擦係数、ρ：溶液Aの密度、u：液体試料の平均流速を意味する。）
【請求項５】
前記液体試料はメイン流路内で異なる温度領域を通過させるようにした請求項１−４のいずれか１に記載のマイクロ流体デバイスの液体試料送液方法。
【請求項６】
前記液体試料はメイン流路内でポリメラーゼ連鎖反応を行うようにした請求項５に記載のマイクロ流体デバイスの液体試料送液方法。
【請求項７】
請求項１−６のいずれか１に記載の液体試料送液方法を使用した、液体試料中のDNA増幅反応方法。
【請求項８】
メイン流路及び該メイン流路の流出口に導入したサブ流路を有するマイクロ流体デバイスのサブ流路長の決定及び／又はメイン流路の流出口周辺の液体試料送液圧力の決定方法であって、
１、任意のサブ流路長を有するマイクロ流体デバイスを作製する。
２、任意の液体試料送液速度で液体試料をメイン流路内に流す。ここで、メイン流路内で気泡が発生する場合には、気泡が発生しなくなるまで液体試料送液速度を上げる。また、ここで、メイン流路内で気泡が発生しない場合には、気泡が発生するまで液体試料送液速度を下げる。これにより、気泡が発生しない程度の液体試料送液速度を求める。
３、上記２の気泡が発生しない程度の液体試料送液速度及び上記１の任意のサブ流路長を式（３）又は式（４）に代入することにより、気泡が発生しない程度のメイン流路の流出口周辺の液体試料送液圧力値を求める。
４、上記３の気泡が発生しない程度のメイン流路の流出口周辺の液体試料送液圧力値を固定値として、上記２の気泡が発生しなかった液体試料送液速度値を、式（５）又は式（６）に代入することにより、サブ流路長を求める。
５、上記３の気泡が発生しない程度のメイン流路の流出口周辺の液体試料送液圧力値を固定値として、上記２の気泡が発生しなかった液体試料送液速度値を、式（７）又は式（８）に代入することにより、気泡発生抑制に必要な溶液Aの必要最低量VOilを求める。
ことを特徴とする設定方法。
【数５】
2007085998.tif 000005
【数６】
2007085998.tif 000006
【数７】
2007085998.tif 000007
【数８】
2007085998.tif 000008
（ここで、ΔP prevent：気泡発生を抑えるのに必要な圧力、L：流路長、μ：溶液粘度、dは流路内の直径、dh：hydraulic diameter、λ：管摩擦係数、ρ：液体試料の密度、u：液体試料の平均流速を意味する。）
【数９】
2007085998.tif 000009
【数１０】
2007085998.tif 000010
（ここで、Voil：気抱発生抑制に必要最低量、S：流路の断面積、Loil：流路を流れる溶液Aの長さ、ΔP prevent：気泡発生を抑えるのに必要な圧力、μ：溶液Aの粘度、dは流路内の直径、dh：hydraulic diameter、λ：管摩擦係数、ρ：溶液Aの密度、u：液体試料の平均流速を意味する。）
【請求項９】
メイン流路及び該メイン流路の流出口に導入したサブ流路を含むことを特徴とするマイクロ流体デバイスおいて、サブ流路長を以下の式（５）又は式（６）に従って決定することを特徴とするマイクロ流体デバイス。
【数１１】
2007085998.tif 000011
【数１２】
2007085998.tif 000012
（ここで、L：流路長、ΔP prevent：気泡発生を抑えるのに必要な圧力、μ：溶液粘度、dは流路内の直径、dh：hydraulic diameter、λ：管摩擦係数、ρ：液体試料の密度、u：液体試料の平均流速を意味する。）
【請求項１０】
サブ流路長を以下の式（５）又は式（６）に従って決定することを特徴とする、メイン流路及び該メイン流路の流出口に導入したサブ流路を含むマイクロ流体デバイスの作製方法。
【数１３】
2007085998.tif 000013
【数１４】
2007085998.tif 000014
（ここで、ΔP prevent：気泡発生を抑えるのに必要な圧力、L：流路長、μ：溶液粘度、dは流路内の直径、dh：hydraulic diameter、λ：管摩擦係数、ρ：液体試料の密度、u：液体試料の平均流速を意味する。）
【請求項１１】
流路内を流れている溶液内の圧力を高めることにより流路内での気泡の発生を抑制する方法において、
流路内を流れている溶液における、圧力低下により、設定温度における飽和蒸気圧以下になることによる沸騰から生じる気泡の発生、または、溶液の温度及び／若しくは圧力の変化により、溶液に溶け込んでいる気体の溶解度が低下し、析出することによる気泡の発生を抑制するために、飽和蒸気圧以上の圧力に保たれ、かつ温度及び／若しくは圧力の変化により、溶存気体の析出が起きない条件を満足することができる長さをもつサブ流路を反応領域の下流に連結させることを特徴とする気泡の発生を抑制する方法。
【請求項１２】
流路内を流れている溶液間の圧力を高めることにより流路内での気泡の発生を抑制する方法において、
流路内を流れている溶液における、圧力低下により、設定温度における飽和蒸気圧以下になることによる沸騰から生じる気泡の発生、または、溶液の温度及び／若しくは圧力の変化により、溶液に溶け込んでいる気体の溶解度が低下し、析出することによる気泡の発生を抑制するために、試料溶液と混ざらないか、もしくは混ざりにくい、及び当該設定温度条件下では飽和蒸気圧以上の圧力を保つことができ、かつ当該条件下における温度及び／若しくは圧力の変化によって溶存気体の析出が起きない溶液Aを試料溶液の前に送液することによって、該溶液Aを押し流すための上流からの圧力と該溶液Ａの抵抗により、試料溶液内の圧力を高めことを特徴とする気泡の発生を抑制する方法。
【請求項１３】
流路内を流れている溶液内の圧力を高めることにより流路内での気泡の発生を抑制する方法において、
流路内を流れている溶液における、圧力低下により、設定温度における飽和蒸気圧以下になることによる沸騰から生じる気泡の発生、または、溶液の温度及び／若しくは圧力の変化により、溶液に溶け込んでいる気体の溶解度が低下し、析出することによる気泡の発生を抑制するために、流れを生じさせている上流からの圧力に対して、これとは逆方向の下流からの圧力を加え、試料溶液内の圧力を高めることを特徴とする気泡の発生を抑制する方法。
【請求項１４】
上記圧力低下が、マイクロ流体デバイスの流れにおいて、管内の流れの式に示されるような上流から下流にかけての圧力低下である請求項１１〜１３の何れか一に記載の気泡の発生を抑制する方法。
【請求項１５】
請求項１１〜１４の何れか一に記載の気泡の発生を抑制する方法を利用する液体試料の送液方法。
【請求項１６】
請求項１５に記載の液体試料の送液方法を利用する化学反応方法。